(57)【特許請求の範囲】
【請求項１】
商品収納室の周囲に形成された冷気通路に置かれた冷却器と、送風機を支持するとともに前記冷気通路に置かれたファンケースとを具備する低温ショーケースにおいて、前記商品収納室の下方の冷気通路内に、起立部と略水平部と傾斜部とを有する固定部材が固定され、該固定部材の起立部には、係止部材が固定されると共に、係止部材にはつば部が形成され、前記ファンケースの後部上端部には、前記固定部材の起立部に対向した起立フランジと、前記固定部材の略水平部に対向した略水平フランジと、前記固定部材の傾斜部に対向した傾斜フランジと、前記係止部材に係合するＵ字形状の係合部とが設けられていることを特徴とする低温ショーケース。
【発明の詳細な説明】
【０００１】
【発明の属する技術分野】
本発明は、商品収納室と断熱箱体との間に形成された冷気通路に、冷却器と送風機とを設置し、冷却器からの冷気を一定方向に循環し、商品収納室の開口部に冷気のエアーカーテンを形成するタイプの低温ショーケースに関する。
【０００２】
【従来の技術】
実公平５−１０２１７号公報及び特公平４−８１７１６号公報に示す低温ショーケースにあっては、本体を形成する断熱壁に略沿わせて設けた冷気通路を形成する一方、商品収納室がこの冷気通路で回りを取り囲まれる如くして設けられ、商品収納室と断熱壁との間に形成された冷気通路に冷却器と送風機を配し、前記商品収納室の底面には着脱自在な底板を有している構造となっている。
【０００３】
図１１において、実線図に示すように、ファンケース３は、底部の冷気通路７内にあり、その後部上端、即ち上面壁３ａの後端には、このファンケース３を上下方向に回動自在に取付支持するためのヒンジ４が、６個設けられている（図１０）。１０は冷気通路７に置かれた冷却器であり、また、１２は冷却器１０を取付固定するとともにファンケース３を回動自在に支持するための固定部材であり、冷気通路７の上方に、略水平にかつ低温ショーケース１７の幅方向の略全幅に設けられている。
【０００４】
従来、商品収納室１内の下部の冷気通路７の底部２９の清掃をするためには、送風機２が固定されたファンケース３をヒンジ４を支点として、図１１の点線矢印の如く上方へ引上げ回動した後、低温ショーケース１７の底部２９を清掃していた。
【０００５】
【発明が解決しようとする課題】
ところで、商品収納室内の清掃等のためファンケースを回動する従来の固定方式の場合、ファンケースには複数のファンおよびファンモータが一体に設けられており、重量物であるので、ファンケースを上下方向に回動自在に取付け支持するためのヒンジを多数必要としていた。この必要なヒンジの数はファンケースの幅により２個から１０数個にも及ぶ場合があり、またヒンジはその構造上もコストの高いものであった。
【０００６】
また、ヒンジを用いた場合は、片手で持ち上げた状態（図１１の破線のように持ち上げた状態）で、他方の手による清掃を容易に行うことができるため便宜であるが、送風機が故障した場合には、却って以下のような不具合もあった。すなわち、送風機は重くかつ大きいため、取り外す作業やその配線処理等はショーケースの庫内では作業し難く、ファンケース全体を低温ショーケースの外に取り出してから送風機の交換を行う必要がある。そのため、固定部材からヒンジをすべて外す必要があり、そのためにドライバー等の工具が必要となり、また、修理作業にも多大の時間と労力を費やしていた。
【０００７】
さらに、底部が、発泡時または発泡後に所定の断熱箱の形状に比べて多少膨らんだりまたは凹んだりすることがあるが、そのような場合に、固定部材とファンケースとがヒンジを介してそれぞれ位置がずれないように取り付けられているため、ファンケースの下部と冷気通路の底部とで密着するよう対応できず、隙間が生じたままになり、この隙間から送風機の吸い込み側へ逆流するいわゆるショートサイクルを起こして、冷気通路中における円滑な冷気の流れが阻害されていた。
【０００８】
本発明は上述の問題に鑑みなされたもので、清掃時にファンケースを回動するためのヒンジを不要とすることにより、低コストであって、送風機を容易に交換することができるようにするとともに、冷気のショートサイクルを防止できる低温ショーケースを提供することを目的とするものである。
【０００９】
【課題を解決するための手段】
本発明の低温ショーケースは、商品収納室の周囲に形成された冷気通路に置かれた冷却器と、送風機を支持するとともに前記冷気通路に置かれたファンケースとを具備するものであって、前記商品収納室の下方の冷気通路内に、起立部と略水平部と傾斜部とを有する固定部材が固定され、該固定部材の起立部には、係止部材が固定されると共に、係止部材にはつば部が形成され、前記ファンケースの後部上端部には、前記固定部材の起立部に対向した起立フランジと、前記固定部材の略水平部に対向した略水平フランジと、前記固定部材の傾斜部に対向した傾斜フランジと、前記係止部材に係合するＵ字形状の係合部とが設けられているものである。
【００１０】
本発明によれば、清掃時にファンケースを回動するためのヒンジを不要とすることができ、低コストであって、送風機を容易に交換することができると共に、冷気のショートサイクルを防止できるショーケースを提供することができる。
【００１１】
また、ファンケースには、係止部材が係合する位置にＵ字形状の係合部が形成されているので、固定部材に固定された係止部材によりファンケースは長手方向および上下方向の移動が規制される。
【００１２】
清掃を行う際に、ファンケースを持って、後方へと回動させる、このときファンケースは固定部材の上を滑りながら回動する。しかし、ファンケースに設けられた係止部が、固定部材に固定された係止部材のつば部に係合しているため、一定の角度まで固定部材から外れることはない。
【００１３】
送風機が故障した場合には、ファンケースを略垂直になるまで引き上げると、水平フランジが傾斜部と水平部とから外れるとともに、Ｕ字形状の係合部も係止部材のつば部から外れるので、ファンケース全体を固定部材からドライバー等の工具を使用せずに外すことができる。
【００１４】
【発明の実施の形態】
以下、本発明の実施の形態を図１ないし図９に基づいて説明する。尚、図１０および図１１に示す従来例と構成的に同一または相当する部分には同一番号を付す。尚、図１ないし図８では底板１４等を省略して示す。
【００１５】
図９で１０は後部冷気通路７ｂに置かれた冷却器である。１５は、断熱壁にて形成された本体であり、下部に図示しない圧縮機や凝縮器を収容する機械室１６を有しているとともに、本体１５の前壁６ａに沿い前部冷気通路７ａが形成されている。ファンケース３の上方には、商品収納室１の底面を形成する底板１４が着脱自在に載置されている。
【００１６】
１２は底板１３の下方の後部に固定された固定部材であり、冷気通路７内に、略水平にかつ低温ショーケース１７の幅方向の略全幅に設けられている。この固定部材１２には、図４に示すように、略垂直な起立部３１と略水平な水平部３２とが設けられている。そして、起立部３１にはつば部３５を有する係止部材３４が複数個ネジ止めされている。
【００１７】
図１に示すように、ファンケース３は、鋼板製で、上面壁３ａと前面壁３ｂと左右側面壁３ｃ，３ｃとから構成され、後面と下面とが開口された形状となっている。そして、このファンケース３には送風機２，２が、その上面壁３ａに形成された通風孔９，９・・・に臨んで、固定支持されている。また、図４に示す如く、ファンケース３の後部上端、即ち上面壁３ａの後端には、略垂直な起立フランジ３８と略水平な水平フランジ３９とが設けられている。図３および図４の実線で示すように、ファンケース３の水平フランジ３９は固定部材１２の水平部３２の上方にあり、また、ファンケース３には、前記係止部材３４が系合する位置に、図２のように、Ｕ字形状の係合部４１が形成され、固定部材１２に固定された係止部材３４によりファンケース３は長手方向および上下方向の移動が規制される。
【００１８】
この低温ショーケース１７が冷却運転されると、送風機２により図９の実線矢印の如く循環した冷気は、背部冷気通路７ｂを通り、図示しない上部の吹出口から前部冷気通路７ａの吸込口１９に向かうエアカーテンが形成され、商品収納室１内の商品が良好に冷却される。
【００１９】
次に、このような低温ショーケース１７内の底部２９を清掃する手順を図９、図３および図４によって説明する。まず商品収納室１の底板１４を取り外す。この後、ファンケース３を持って、その後部上端が載っている固定部材１２の上を支点として、図３の如く、後方へと回動させる。そして、底部２９に手が入るような位置になるまでファンケース３を引き上げる。このとき、ファンケース３は固定部材１２の上を滑りながら回動する。しかし、ファンケース３に設けられた係合部４１が、固定部材１２に固定された係止部材３４のつば部３５に係合しているため、一定の角度まで固定部材１２から外れることはない。この状態で、底部２９の冷気通路７を含む周辺の清掃及び冷却器１０の清掃を行う。
【００２０】
清掃が終了したら、ファンケース３を持って、今度は逆に、その後部上端が載っている固定部材１２の上を支点として、前方へと回動させ、元の状態に戻す。その後、底板１４を載置すれば、清掃前の元の状態に復旧する。
【００２１】
次に、送風機２・・・が故障した場合には、図５および図６に示すように、ファンケース３を略垂直になるまで引き上げると、ファンケース３の水平フランジ３９が固定部材１２の傾斜部３３と水平部３２とから外れるとともに、ファンケース３に形成されたＵ字形状の係合部４１も係止部材３４のつば部３５から外れるので、ファンケース３全体を固定部材１２からドライバー等の工具を使用せずに外すことができる。この後、低温ショーケース１７の外部に持ち出し、送風機２・・・を交換することにより、修理作業を容易かつ短時間に行うことができる。
【００２２】
また、図７および図８に示すように、底部２９が、発泡時または発泡後に所定の断熱箱の形状に比べて多少膨らんだりまたは凹んだりすることがあり、ファンケース３はその分浮き上がるかまたは沈むことになる。その場合、図１０に示すような従来のヒンジによる固定方式では、固定部材１２とファンケース３とがヒンジ４を介してそれぞれ位置がずれないように取り付けられているため、ファンケース３の左右側面壁３ｃ、３ｃの下部と冷気通路７の底部２９との間で隙間を生じることがあった。しかしながら、この実施例においては、ファンケース３の上下および前後の位置が容易に移動できるため、ファンケース３の前面壁及び左右側面壁３ｃ、３ｃの下部と冷気通路７の底部２９との間に隙間がない状態でファンケース３が固定部材１２に係止する。すなわち、底部２９の変形に対応してファンケース３が上下もしくは前後に移動するため、従来、ファンケース３の前面壁及び左右側面壁３ｃ，３ｃの下部と底部２９とが密着しなかったために生じていた隙間を生じなくなる。したがって、送風機２・・・により吸い込まれて一旦冷却器１０側に送られた冷気が、再び、この隙間から送風機２・・・の吸い込み側に還流するいわゆるショートサイクルを防止できるので、冷気通路７中を冷気が円滑に流れることになる。
【００２３】
次に、図３および図４に示すように、固定部材１２が、さらに水平部３２に延在して傾斜部３３を有しており、ファンケース３が、さらに水平フランジ３９に延在して傾斜フランジ４０をも有している場合は、送風機２・・・の交換を行うためにファンケース３を外した後、再び固定部材１２に係合させるときに、ファンケース３の後部上端部（起立フランジ３８および水平フランジ３９）が、固定部材１２の傾斜部３３により案内されて固定部材１２との係合が容易に行われることになり、したがって、ファンケース３を元の通常の状態に容易に復旧することができる。
【００２４】
さらに、本実施例と異なり、固定部材１２が起立部３１と、水平部３２と、水平部３２に延在して傾斜部３３を有しており、ファンケース３が傾斜フランジ４０のみを有している場合も、同様に清掃時にファンケースを回動するためのヒンジが不要とすることができる。すなわち、ファンケース３を持って、その後部上端が載っている固定部材１２の上を支点として、後方へと回動させる。そして、底部２９に手が入るような位置になるまでファンケース３を引き上げる。このとき、ファンケース３は固定部材１２の上を滑りながら回動する。そして、ファンケース３の後部上端の傾斜部３３が固定部材に載っている状態で、底部２９の冷気通路７を含む周辺の清掃及び冷却器１０の清掃を行う。
【００２５】
清掃が終了したら、ファンケース３を持って、今度は逆に、その後部上端が載っている固定部材１２の上を支点として、前方へと回動させ、元の状態に戻す。その後、底板１４を載置すれば、清掃前の元の状態に復旧する。
【００２６】
送風機２・・・が故障した場合には、ファンケース３を引き上げると、ファンケース３全体を固定部材１２からドライバー等の工具を使用せずに外すことができる。この後、低温ショーケース１７の外部に持ち出し、送風機２・・・を交換することにより、修理作業を容易かつ短時間に行うことができる。
【００２７】
また、底部２９が、発泡時または発泡後に所定の断熱箱の形状に比べて多少膨らんだりまたは凹んだりすることにより、ファンケース３がその分浮き上がるかまたは沈んだ場合でも、ファンケース３の位置が容易に移動できるため、ファンケース３の前面壁及び左右側面壁３ｃ、３ｃの下部と底部２９との間に隙間がない状態でファンケース３が固定部材１２に係止する。すなわち、底部２９の変形に対応してファンケース３が上下もしくは前後に移動するため、従来、ファンケース３の前面壁及び左右側面壁３ｃ，３ｃの下部と底部２９とが密着しなかったために生じていた隙間を生じなくなる。したがって、送風機２・・・により吸い込まれて一旦冷却器１０側に送られた冷気が、再び、この隙間から送風機２・・・の吸い込み側に還流するいわゆるショートサイクルを防止できるので、冷気通路７中を冷気が円滑に流れることになる。
【００２８】
送風機２・・・の交換を行うためにファンケース３を外した後、再びファンケース３を元の通常の状態に復旧するには、固定部材１２に係合させるときに、ファンケース３の後部上端の傾斜フランジ４０が、固定部材１２の傾斜部３３により案内されて固定部材１２との係合が容易に行われることになり、したがって、ファンケース３を元の通常の状態に容易に復旧することができる。
【００２９】
以上の実施例では、固定部材１２の水平部３２は略水平であるとして述べたが多少の傾斜があっても、また同様に、傾斜部３３の傾斜角度は略垂直であっても、上記したものと同様な手順により低温ショーケース１７内の底部２９の清掃作業を容易に行うことができる。そして、ファンケース３の水平フランジ３９は傾斜があっても、また、傾斜フランジ４０の傾斜角度が略垂直であっても同様に清掃作業を容易に行うことができる。
【００３０】
【発明の効果】
以上のように本発明によれば、清掃時にファンケースを回動するためのヒンジを不要とすることができ、低コストであって、送風機を容易に交換することができると共に、冷気のショートサイクルを防止できるショーケースを提供することができる。
【図面の簡単な説明】
【図１】本発明の実施例の低温ショーケースの要部斜視図
【図２】図１におけるＡ部拡大図
【図３】本発明の実施例の要部縦断側面図
【図４】図３におけるＢ部拡大図
【図５】ファンケースを略垂直に持ち上げた状態とファンケースを外した状態を示す要部縦断側面図
【図６】図５におけるＣ部拡大図
【図７】箱体の底部が変形している場合を示す要部縦断側面図
【図８】図７におけるＤ部拡大図
【図９】本発明の実施例の低温ショーケースの縦断側面図
【図１０】従来のファンケースの外観斜視図
【図１１】従来の低温ショーケースの縦断側面図。
【符号の説明】
１  商品収納室
２  送風機
３  ファンケース
１０  冷却器
１２  固定部材
１４  底板
３１  起立部
３２  水平部
３３  傾斜部
３４  係止部材
３５  つば部
３８  起立フランジ
３９  水平フランジ
４０  傾斜フランジ
４１  係合部
【図１】
0003842932.tif 000002
【図２】
0003842932.tif 000003
【図３】
0003842932.tif 000004
【図４】
0003842932.tif 000005
【図５】
0003842932.tif 000006
【図６】
0003842932.tif 000007
【図７】
0003842932.tif 000008
【図８】
0003842932.tif 000009
【図９】
0003842932.tif 000010
【図１０】
0003842932.tif 000011
【図１１】
0003842932.tif 000012